(57)【要約】【課題】商品収容室のコーナー領域に対する冷気の分配供給方式に工夫を凝らして商品収容室の全体的な冷却効率の向上を図る。【解決手段】ケース本体１上に、上面が開口する商品収容室２を有し、商品収容室２の中央に、左右横長の中央ダクト６が、底壁３上に立ち上げ形成されている。中央ダクト６の上端の全周に、中央ダクト６まわりに第１の吹出口７が設けられている。商品収容室２の左右側壁部９・１０には、第２の吹出口１１が前後間にわたってそれぞれ設けられている。商品収容室２の前後側壁部１２・１３には、吸込口１５が左右間にわたってそれぞれ設けられている。左右側壁部９・１０における第２の吹出口１１の冷気吹き出し量は、商品収容室２のコーナー領域Ｃに臨む前後端部分が前後中央部分よりも少なく設定されている。前後の各側壁部１２・１３における吸込口１５の冷気吸い込み量は、商品収容室２のコーナー領域Ｃに臨む左右端部分が左右中央部分よりも少なく設定されている。【選択図】        図２
2004333002.tif 000002
【特許請求の範囲】
【請求項１】
ケース本体１上に、上面が開口する商品収容室２を有し、
商品収容室２が、四角形の底壁３と、底壁３の外周に立ち上がる周側壁５とで画成されており、
商品収容室２の中央に、左右横長の中央ダクト６が、底壁３上に立ち上げ形成されており、
中央ダクト６の上端の全周に、中央ダクト６まわりの商品収容室２に冷気を吹き出す第１の吹出口７が設けられており、
前記周側壁５の左右の各側壁部９・１０に、商品収容室２に冷気を吹き出す第２の吹出口１１が前後間にわたってそれぞれ設けられており、
前記周側壁５の前後の各側壁部１２・１３に、商品収容室２の冷気を吸い込む吸込口１５が左右間にわたってそれぞれ設けられており、
左右の各側壁部９・１０における第２の吹出口１１の冷気吹き出し量は、商品収容室２のコーナー領域Ｃに臨む前後端部分が前後中央部分よりも少なく設定されているとともに、
前後の各側壁部１２・１３における吸込口１５の冷気吸い込み量は、商品収容室２のコーナー領域Ｃに臨む左右端部分が左右中央部分よりも少なく設定されていることを特徴とするオープンショーケース。
【請求項２】
左右の各側壁部９・１０における第２の吹出口１１の冷気吹き出し量が、該側壁部９・１０の前後中央部分から商品収容室２のコーナー領域Ｃに臨む前後端部分に近づくほど少なくなるように設定されているとともに、
前後の各側壁部１２・１３における吸込口１５の冷気の吸い込み量が、該側壁部１２・１３の左右中央部分から商品収容室２のコーナー領域Ｃに臨む左右端部分に近づくほど少なくなるように設定されている請求項１記載のオープンショーケース。
【発明の詳細な説明】
【０００１】
【発明の属する技術分野】
本発明は、図２に示すごとくケース本体１上に、上面が開口する商品収容室２を有し、商品収容室２が、四角形の底壁３と、底壁３の外周に立ち上がる周側壁５とで画成されており、商品収容室２の中央に、左右横長の中央ダクト６が、底壁３上に立ち上げ形成されており、中央ダクト６まわりの商品収容室２に冷気が循環供給されるオープンショーケースに関する。
【０００２】
【従来の技術】
この種のオープンショーケースでは、一般に中央ダクト６から冷気を商品収容室２に吹き出し、周側壁５から商品収容室２の冷気を吸い込む形式を採る（特許文献１）。その場合、商品収容室２に食品を収容して陳列したとき、商品収容室２の四隅の各コーナー領域Ｃにおいて冷却性能が劣るところに問題がある。
【０００３】
そこで、特許文献２では、図８の原理図に示すごとく、商品収容室２のコーナー領域Ｃにおける冷却効率を向上させるために、中央ダクト６から矢印のごとく冷気を吹き出すとともに、周側壁５の各隅部からも商品収容室２のコーナー領域Ｃに向けて冷気を吹き出す。そして、周側壁５の前後の各側壁部１２・１３において、コーナー領域Ｃに臨む左右端部分を除く中央部分から商品収容室２の冷気を吸い込む形式を採っている。
【０００４】
【特許文献１】
特開平１１−１５３３７６号公報（段落番号００２０、図４）
【特許文献２】
特開２０００−２２０９４５号公報（第２−３頁、図２、図３）
【０００５】
【発明が解決しようとする課題】
しかし、特許文献２の形式では、商品収容室２のコーナー領域Ｃにおいて直交状に吹き出された冷気が衝突して乱流を生じるうえに、このコーナー領域Ｃの冷気は周側壁５の前後側壁部１２・１３の冷気吸い込み領域まで長い経路を流れた後、吸い込まれることになる。そのため、商品収容室２のコーナー領域Ｃに対する冷気の吹き出し量が多い割りには、該当コーナー領域Ｃでの冷気の流れが悪い分だけ冷却効率が阻害されている。そこで、メインの凝縮器ユニットとは別に、商品収容室２のコーナー領域Ｃの冷却性能を強化するために、専用の凝縮器ユニットを用意して対処しているが、凝縮器ユニットの増設は徒に内部構造が複雑化し、組み付け部品の点数が増え、製作コストアップを招くので得策ではない。
【０００６】
そこで本発明の目的は、商品収容室のコーナー領域に対する冷気の分配供給方式に工夫を凝らすことにより、該当コーナー領域での冷却性能の確保したオープンショーケースを提供するにある。本発明の目的は、コーナー領域を含めて商品収容室の全体の冷却効率の向上を図ることにある。
【０００７】
【課題を解決するための手段】
本発明は、図２に示すごとくケース本体１上に、上面が開口する商品収容室２を有し、商品収容室２が、四角形の底壁３と、底壁３の外周に立ち上がる周側壁５とで画成されており、商品収容室２の中央に、左右横長の中央ダクト６が、底壁３上に立ち上げ形成されており、中央ダクト６の上端の全周に、中央ダクト６まわりの商品収容室２に冷気を吹き出す第１の吹出口７が設けられたオープンショーケースである。
【０００８】
本発明は、かかるオープンショーケースにおいて、前記周側壁５の左右の各側壁部９・１０に、商品収容室２に冷気を吹き出す第２の吹出口１１が前後間にわたってそれぞれ設けられており、前記周側壁５の前後の各側壁部１２・１３に、商品収容室２の冷気を吸い込む吸込口１５が左右間にわたってそれぞれ設けられている。そのうえで、図１に示すごとく左右の各側壁部９・１０における第２の吹出口１１の冷気吹き出し量は、商品収容室２のコーナ領域Ｃに臨む前後端部分が前後中央部分よりも少なく設定されているとともに、前後の各側壁部１２・１３における吸込口１５の冷気吸い込み量は、商品収容室２のコーナ領域Ｃに臨む左右端部分が左右中央部分よりも少なく設定されていることを特徴とする。
【０００９】
更に具体的には、左右の各側壁部９・１０における第２の吹出口１１の冷気吹き出し量が、該側壁部９・１０の前後中央部分から商品収容室２のコーナ領域Ｃに臨む前後端部分に近づくほど少なくなるように設定されているとともに、前後の各側壁部１２・１３における吸込口１５の冷気の吸い込み量が、該側壁部１２・１３の左右中央部分から商品収容室２のコーナ領域Ｃに臨む左右端部分に近づくほど少なくなるように設定されている。すなわち、図１の原理図に基づいて具体的な数値で説明すると、例えば、中央ダクト６の吹出口７からの冷気吹き出し量をレベル▲５▼としたとき、左右側壁部９・１０の第２吹出口１１においては、前後中央部分での冷気吹き出し量をレベル▲４▼に、前後端部分での冷気吹き出し量を１／２以下のレベル▲２▼にし、前後側壁部１２・１３の吸込口１５での左右中央部分での冷気吸い込み量をレベル▲３▼に、左右端部分での冷気吸い込み量を２／３以下のレベル▲２▼に設定することができる。
【００１０】
【発明の作用効果】
かかる本発明によれば、図１に示すごとく商品収容室２のコーナー領域Ｃでは、周側壁５の左右側壁部９・１０の第２吹出口１１から吹き出た冷気は、前後側壁部１２・１３側の吸込口１５に直ちに吸い込まれる。したがって、商品収容室２のコーナー領域Ｃは、冷気のスムーズな流れで冷却性能が良好に確保される。
【００１１】
その一方で、商品収容室２のコーナー領域Ｃにおいては、左右側壁部９・１０からの冷気吹き出し量と、前後側壁１２・１３での冷気吸い込み量とが、それぞれ他の部分よりも少なく設定されている。したがって、商品収容室２を全体としてみたとき、冷気の分配が領域の大小に応じて合理的に行われているので、全体の冷却効率が良いものとなる。このことは、凝縮器ユニットを増設しなくても、商品収容室２の全体に冷気を無駄なく効率的に分配供給できることにつながり、オープンショーケースの構造の簡略化を図って製作コストの低減化を達成できることにもなる。
【００１２】
【発明の実施の形態】
図２ないし図７は、本発明に係る平台開放型のオープンショーケースの実施例を示す。図２において、符号１は全体が左右横長のケース本体である。このケース本体１上には、上面が開口する商品収容室２を有する。商品収容室２は、横長四角形の底壁３と、底壁３の外周に立ち上がる周側壁５とで左右横長の四角形に画成されている。商品収容室２の前後中央部位には、左右横長の中央ダクト６が底壁３上に立ち上がるよう形成されており、中央ダクト６の上端の全周に、中央ダクト６まわりの商品収容室２に冷気を吹き出す第１の吹出口７が設けられている。
【００１３】
前記周側壁５の左右側壁部９・１０には、商品収容室２に冷気を吹き出す第２の吹出口１１が前後間にわたってそれぞれスリット状に設けられており、前記周側壁５の前後の各側壁部１２・１３には、商品収容室２の冷気を吸い込む吸込口１５が左右間にわたってそれぞれスリット状に設けられている。
【００１４】
ケース本体１は、左右のコーナー台１ａ・１ａと中間台１ｂとを含み、必要に応じてコーナー台１ａ・１ａの間に中間台１ｂを入れることにより、商品収容室２の左右長さを加減調節できる。左右の各コーナー台１ａと中間台１ｂとは、組み付けの都合上、それぞれ前後に分割されたブロックを結合して構築される。ケース本体１の上端には、周側壁５の上方に立ち上がるガードパネル１６を組み付け、このガードパネル１６で外気が商品収容室２に流入するのを規制している。
【００１５】
図３ないし図７は、右側コーナー台１ａの前側に位置するブロックを示す。図３および図４において、ケース本体１を構成する前述の各ブロックには、商品収容室２の下方空間１７に、冷気循環用ファン１９および空冷式の凝縮器２０を含む凝縮器ユニットを備えている。ケース本体１には、下方空間１７の更に下側の機械室２１には圧縮機を含む圧縮機ユニット２２を備えている。
【００１６】
かくして、凝縮器ユニットからの冷気は、中央ダクト６の第１吹出口７と、周側壁５の左右側壁部９・１０の第２吹出口１１とから商品収容室２に向かって吹き出され、商品収容室２の冷気は、周側壁５の前後側壁部１２・１３の吸込口１５から凝縮器ユニットに戻る。
【００１７】
かかるオープンショーケースにおいて、左右の各側壁部９・１０における第２吹出口１１の冷気吹き出し量が、該側壁部９・１０の前後中央部分から、商品収容室２のコーナー領域Ｃに臨む前後端部分に近づくほど少なくなるように設定されている。
【００１８】
すなわち、図３において凝縮器２０の冷気出口２５は、第１吹出口７に連通する第１出口２５ａと第２吹出口１１に連通する第２出口２５ｂとに仕切壁２６で区分されている。その際、第１出口２５ａの開口面積は、第２出口２５ｂのそれよりも大きく形成されていて、第１吹出口７と第２吹出口１１とにおける冷気吹き出し量が大小に設定されている。
【００１９】
凝縮器２０は公知の構造からなり、幅方向の両端にわたって層状に配置された熱交換プレート２７の一群を備えている。したがって、ファン１９から送られた冷気は各熱交換プレート２７間に分流され、冷気出口２５の全面にわたって一様に整流された冷気が吹き出されるので、凝縮器２０の取り付け位置を左右に調整するだけで、第１出口２５ａと第２出口２５ｂとの冷気吹出量を加減調整でき、凝縮器２０の取り付け後に冷気風量や流れに多少のずれが認められても簡単に微調整できる。
【００２０】
そのうえで、第２出口２５ｂから第２吹出口１１に到る冷気流路は、左右側壁部９・１０の前後中央部分までが短く、前後端部分に近づくほど長くなっている。従って、左右の各側壁部９・１０における第２の吹出口１１での冷気吹き出し量は、該側壁部９・１０の前後中央部分から商品収容室２のコーナー領域Ｃに臨む前後端部分に近づくほど少ない。
【００２１】
更に、前後側壁部１２・１３における吸込口１５の冷気の吸い込み量は、該側壁部１２・１３の左右中央部分から商品収容室２のコーナー領域Ｃに臨む左右端部分に近づくほど少なくなるように設定されている。すなわち、図４において吸込口１５から冷気循環用ファン１９に到る冷気流路が商品収容室２のコーナー領域Ｃに臨む左右端部分に近づくほど長い。
【００２２】
本発明における好適な冷気量の具体例を図１の原理図に基づいて平均風速で説明すると、中央ダクト６における第１吹出口７の冷気吹き出し量は、全周にわたって均一に約１ｍ／ｓに設定した。左右側壁部９・１０における第２吹出口１１の冷気吹き出し量は、前後中央部分において約０．８ｍ／ｓに設定し、周側壁５の隅部（前後端部分）において約０．４ｍ／ｓに設定した。前後側壁部１２・１３における冷気吸い込み量は、左右中央部分において約０．６ｍ／ｓに設定し、周側壁５の隅部（左右端部分）では約０．４ｍ／ｓに設定した。いずれの数値も±０．１ｍ／ｓの範囲でのばらつきを含む。このように設定することで、商品収容室４のコーナー領域Ｃで冷気のスムーズな流れが形成でき、全体的な冷却効率の向上を図れた。
【００２３】
なお、第２吹出口１１の冷気吹き出し量を側壁部９・１０の前後中央部分から周側壁５の端部分に近づくほど少なくなるように設定する別の具体的手段としては、第２の吹出口１１側の開口面積を隅部に近づくほど小さくしてもよい。
【図面の簡単な説明】
【図１】本発明を原理的に説明する概略平面図
【図２】全体の斜視図
【図３】要部の内部構造を示す横断平面図
【図４】図３のＸ−Ｘ線断面図
【図５】図３のＹ−Ｙ線断面図
【図６】図３のＺ−Ｚ線断面図
【図７】冷気の流れを説明する斜視図
【図８】従来例の冷気の流れを原理的に説明する平面図
【符号の説明】
１    ケース本体
２    商品収容室
３    底壁
５    周側壁
６    中央ダクト
７    第１の吹出口
９  右側壁部
１０  右側壁部
１１  第２の吹出口
１２  前側壁部
１３  後側壁部
１５  吸込口
１９  冷気循環用ファン
２０  凝縮器
【図１】
2004333002.tif 000003
【図２】
2004333002.tif 000004
【図３】
2004333002.tif 000005
【図４】
2004333002.tif 000006
【図５】
2004333002.tif 000007
【図６】
2004333002.tif 000008
【図７】
2004333002.tif 000009
【図８】
2004333002.tif 000010